(57)【要約】      （修正有）【課題】伝送速度が異なるコネクタを備えたＵＳＢコネクタの構造アセンブリを提供する。【解決手段】ＵＳＢコネクタの構造アセンブリは、固定部品１００、コネクタ本体２００、基板３００、遮蔽殻体４００を備え、遮蔽殻体４００の一端には固定片４１０を備え、遮蔽殻体４００、固定部品１００、基板３００、固定片４１０を結合後、コネクタ本体２００と基板３００とは、遮蔽殻体４００中に堅固で安定的に固定され、しかもコネクタ本体２００の前縁と遮蔽殻体４００とは揃い、その接触面の高さは固定片４１０の上縁とおおよそ揃う。【選択図】図１
0003186058.tif 000002
【実用新案登録請求の範囲】
【請求項１】
USBコネクタの構造アセンブリは、固定部品、コネクタ本体、基板、遮蔽殻体を備え、  前記固定部品の一端は、少なくとも１個の第一凹槽を備え、下方には、少なくとも１個の係合ブロックを備え、
前記コネクタ本体は、前記固定部品の下方に位置し、その上には、複数の第一端子と複数の第二端子を備え、前記複数の第一端子及び前記複数の第二端子は、それぞれ接触部を備え、しかも前記コネクタ本体の前端には、導入角を備え、前記導入角の少なくとも片側には、第二凹槽を備え、前記コネクタ本体後端の少なくとも片側には、係合ブロック位置に対応し、係合槽を備え、これにより前記固定部品と結合し、
前記基板は、前記コネクタ本体の下方に位置し、その一端は、ガード板に止められ、その上には、複数の第一接触パッド、複数の第二接触パッドを備え、これに前記複数の第一端子と前記複数の第二端子の接触部をそれぞれ溶接し、
前記遮蔽殻体は、中空で、前記固定部品、前記コネクタ本体、前記基板を収容設置し、その一端は、前記第二凹槽位置に対応し、固定片を備え、前記固定片は内側へと湾曲後、第二凹槽に止められ、これにより前記コネクタ本体の前縁は、前記遮蔽殻体と揃い、しかもその接触面の高さは、前記固定片の上縁とおおよそ揃うことを特徴とするUSBコネクタの構造アセンブリ。
【請求項２】
前記基板は、COB基板(Chip-On-Board)、或いはプリント回路基板で、
前記複数の第一接触パッドと前記複数の第二接触パッドは、交差配置を呈し、前記導入角はおよそ30°であることを特徴とする請求項１に記載のUSBコネクタの構造アセンブリ。
【請求項３】
前記複数の第一接触パッド及び前記複数の第一端子の個数は５個で、結合後、USB3.0コネクタを構成し、
前記複数の第二接触パッド及び前記複数の第二端子の個数は４個で、USB2.0コネクタを構成することを特徴とする請求項１に記載のUSBコネクタの構造アセンブリ。
【請求項４】
前記基板上にはさらに、USBコントローラー、インジケーター、少なくとも１個のフラッシュメモリを備え、
前記USBコントローラー及び前記少なくとも１個のフラッシュメモリは、前記複数の第一接触パッドと前記複数の第二接触パッドにそれぞれ接続し、
前記インジケーターは、前記USBコントローラーに接続することを特徴とする請求項１に記載のUSBコネクタの構造アセンブリ。
【請求項５】
前記遮蔽殻体上の第一凹槽に対応する位置には、さらに少なくとも１個の固定ブロックを備え、前記第一凹槽と結合し、これにより前記固定部品を、前記遮蔽殻体中に固定し、前記固定ブロックと前記第一凹槽の個数は、共に３個であることを特徴とする請求項１に記載のUSBコネクタの構造アセンブリ。
【請求項６】
前記固定部品の反対端は、下方へと延伸し、ガード板を備え、しかも前記ガード板の内側には、固定孔を備え、これにより前記インジケーターを固定することを特徴とする請求項４に記載のUSBコネクタの構造アセンブリ。
【請求項７】
前記複数の第二端子中の内の両辺の最も外側の第二端子の端部に近い位置は、それぞれ外側へと溶接片を延伸し、しかも前記基板は、前記溶接片位置に対応し、さらに溶接パッドを備え、これにより前記溶接片を溶接し、
この他、前記各第二端子の前記接触部に近い位置にはさらに、フランジを備え、これにより前記第二端子の接触は、より確実となることを特徴とする請求項１に記載のUSBコネクタの構造アセンブリ。
【請求項８】
前記第二凹槽と前記固定片の個数は共に２個であることを特徴とする請求項１に記載のUSBコネクタの構造アセンブリ。
【請求項９】
前記固定部品は、光透過プラスチック部品であることを特徴とする請求項１に記載のUSBコネクタの構造アセンブリ。
【請求項１０】
固定部品は、USBコネクタ中に用い、その一端には、少なくとも１個の凹槽を備え、下方側には、少なくとも１個の係合ブロックを備えることを特徴とする固定部品。
【請求項１１】
前記固定部品は、光透過プラスチック部品で、しかも反対端は下方へと延伸し、ガード板を備え、しかも、前記ガード板の内側には、固定孔を備え、これによりインジケーターを固定することを特徴とする請求項１０に記載の固定部品。
【請求項１２】
前記凹槽の個数は、３個で、
前記係合ブロックの個数は、２個で、
前記インジケーターは、発光ダイオードであることを特徴とする請求項１１に記載の固定部品。
【請求項１３】
前記係合ブロックと前記コネクタ本体とは結合することを特徴とする請求項１０に記載の固定部品。
【請求項１４】
コネクタ本体は、USBコネクタ中に用い、その上には、複数の第一端子と複数の第二端子を備え、前記複数の第一端子及び前記複数の第二端子は、交差して配置し、前記複数の第一端子と前記複数の第二端子の一端には、それぞれ溶接部を備え、反対端は、下方へと湾曲し、接触部を形成し、
しかも、前記コネクタ本体の前端には、導入角を備え、前記導入角の少なくとも片側には、第二凹槽を備え、前記コネクタ本体後端の少なくとも片側には、係合槽を備えることを特徴とするコネクタ本体。
【請求項１５】
前記複数の第一端子の個数は５個で、前記複数の第二端子の個数は４個で、
しかも、前記複数の第二端子中の内の両辺の最も外側の第二端子の端部に近い位置は、それぞれ外側へと溶接片を延伸することを特徴とする請求項１４に記載のコネクタ本体。
【請求項１６】
前記各第二端子の前記接触部に近い位置にはさらに、フランジを備え、これにより前記第二端子の接触は、より確実となることを特徴とする請求項１４に記載のコネクタ本体。
【請求項１７】
基板は、USBコネクタ中に用い、その上には、複数の第一接触パッド、複数の第二接触パッドを備え、
しかも、前記基板は、前記複数の第一接触パッド、前記複数の第二接触パッドの反対端に、少なくとも１個の溶接パッドを備えることを特徴とする基板。
【請求項１８】
前記基板は、COB基板(Chip-On-Board)、或いはプリント回路基板で、
しかも、前記複数の第一接触パッドと前記複数の第二接触パッドは、交差配置を呈することを特徴とする請求項１７に記載の基板。
【請求項１９】
遮蔽殻体は、USBコネクタ中に用い、しかも中空で、その一端には、少なくとも１個の固定片を備え、
前記固定片は内側へと湾曲後、これにコネクタ本体を固定し、その上側には、少なくとも１個の固定ブロックを備え、
これにより、前記コネクタ本体の前縁は、前記遮蔽殻体と揃い、しかもその接触面の高さは、前記固定片の上縁とおおよそ揃うことを特徴とする遮蔽殻体。
【請求項２０】
前記固定片の個数は、２個で、
前記固定ブロックの個数は、３個であることを特徴とする請求項１９に記載の遮蔽殻体。
【考案の詳細な説明】
【技術分野】
【０００１】
本考案はUSBコネクタの構造アセンブリに関し、特にコネクタ本体の前縁と遮蔽殻体とは揃い、その接触面の高さは固定片の上縁とおおよそ揃うUSBコネクタの構造アセンブリに関する。
【背景技術】
【０００２】
USBインターフェースを備える周辺装置は、ホットスワッピングの機能を備えるため、消費者に広く受け入れられている。USB2.0プロトコルは、480Mビット/秒の伝送速度を提供することができる。しかし、マルチメディア技術の発達に従い、USB2.0プロトコルにより、25GBのマルチメディアファイルをダウンロードしようとするなら、10数分にも上る時間がかかってしまい、これでは消費者のニーズに応えることはできない。そのため、USB3.0プロトコルが開発された。USB3.0プロトコルは、4.8 Mビット/秒の伝送速度を提供することができるため、25GBのマルチメディアファイルのダウンロードを、USB2.0プロトコルの10分の1の時間で完成させることができる。
【０００３】
しかし、USB2.0プロトコルはやはり現在の主流で、USBインターフェースを持つ大部分の周辺装置は、今でもUSB2.0プロトコルを支援している。そのため、USB2.0プロトコルとUSB3.0プロトコルとを同時に支援できるエレクトリックコネクタの開発は、非常に重要な課題である。
【０００４】
この他、従来のUSBエレクトリックコネクタにおいて、その端子のエレクトリックコネクタ接続口に近い一端は、平坦状を呈している。そのため、メスUSB2.0或いはUSB3.0エレクトリックコネクタを挿入して接続する時、その端子とオスUSB2.0或いはUSB3.0エレクトリックコネクタ中の端子は、逆向きに噛み合う。そのため、オスUSBエレクトリックコネクタ中の端子は、押し上げられやすく、エレクトリックコネクタの破損を招く恐れがある。
【０００５】
さらに、従来のUSBエレクトリックコネクタにおいて、コネクタ本体は、基板後端に位置する接触パッドを基板上に溶接する。これにより、基板後端は接着力を有するが、基板前端は接着力を有さない。そのため、端子のエレクトリックコネクタ接続口に近い一端が、平坦状を呈することで、コネクタ本体後端には、浮き上がり(或いは、跳ね上がり)の状況が発生しやすくなり、接触不良を招いてしまう。
本考案は、従来のUSBコネクタの構造アセンブリの上記した欠点に鑑みてなされたものである。
【考案の概要】
【考案が解決しようとする課題】
【０００６】
本考案が解決しようとする第一の課題は、伝送速度が異なるUSB2.0コネクタとUSB3.0コネクタを備え、異なる伝送速度のニーズに応えることができるUSBコネクタの構造アセンブリを提供することである。
本考案が解決しようとする第二の課題は、固定部品を備え、固定部品はコネクタ本体及び基板を、遮蔽殻体中に堅固で安定的に固定することができるUSBコネクタの構造アセンブリを提供することである。
本考案が解決しようとする第三の課題は、複数の第二端子の内の両辺の最も外側の第二端子の端部に近い位置は、それぞれ外側へと溶接片を延伸し、しかも基板は溶接片位置に対応し、さらに溶接パッドを備え、これにより溶接片は溶接され、コネクタ本体の前後端は共に接着力を有し、浮き上がり(或いは、跳ね上がり)の状況の発生を防止することができるUSBコネクタの構造アセンブリを提供することである。
本考案が解決しようとする第四の課題は、遮蔽殻体は固定片を備え、固定片は内側へと湾曲後、コネクタ本体の第二凹槽と結合し、これによりコネクタ本体の前縁は遮蔽殻体と揃い、しかもその接触面の高さは固定片の上縁とおおよそ揃うUSBコネクタの構造アセンブリを提供することである。
【課題を解決するための手段】
【０００７】
上記課題を解決するため、本考案は下記のUSBコネクタの構造アセンブリを提供する。
USBコネクタの構造アセンブリは、固定部品、コネクタ本体、基板、遮蔽殻体を備え、  該固定部品の一端は、少なくとも１個の第一凹槽を備え、下方には、少なくとも１個の係合ブロックを備え、
該コネクタ本体は、該固定部品の下方に位置し、その上には、複数の第一端子と複数の第二端子を備え、該複数の第一端子及び該複数の第二端子は、それぞれ接触部を備え、しかも該コネクタ本体の前端には、導入角を備え、該導入角の少なくとも片側には、第二凹槽を備え、該コネクタ本体後端の少なくとも片側には、係合ブロック位置に対応し、係合槽を備え、これにより該固定部品と結合し、
該基板は、該コネクタ本体の下方に位置し、その一端は、ガード板に止められ、その上には、複数の第一接触パッド、複数の第二接触パッドを備え、これに該複数の第一端子と該複数の第二端子の接触部をそれぞれ溶接し、
該遮蔽殻体は、中空で、該固定部品、該コネクタ本体、該基板を収容設置し、その一端は、該第二凹槽位置に対応し、固定片を備え、該固定片は内側へと湾曲後、第二凹槽に止められ、これにより該コネクタ本体の前縁は、該遮蔽殻体と揃い、しかもその接触面の高さは、該固定片の上縁とおおよそ揃い、
本考案の固定部品は、USBコネクタ中に用い、その一端は、下方へと延伸し、ガード板を備え、反対端には、少なくとも１個の凹槽を備え、下方側には、少なくとも１個の係合ブロックを備え、
本考案のコネクタ本体は、USBコネクタ中に用い、その上には、複数の第一端子と複数の第二端子を備え、該複数の第一端子及び該複数の第二端子は、交差して配置し、該複数の第一端子と該複数の第二端子の一端には、それぞれ溶接部を備え、反対端は、下方へと湾曲し、接触部を形成し、しかも、該コネクタ本体の前端には、導入角を備え、該導入角の少なくとも片側には、第二凹槽を備え、該コネクタ本体後端の少なくとも片側には、係合槽を備え、
本考案の基板は、USBコネクタ中に用い、その上には、複数の第一接触パッド、複数の第二接触パッドを備え、しかも該基板は、該複数の第一接触パッド、該複数の第二接触パッドの反対端に、少なくとも１個の溶接パッドを備え、
本考案の遮蔽殻体は、USBコネクタ中に用い、しかも中空で、その一端には、少なくとも１個の固定片を備え、該固定片は内側へと湾曲後、これにコネクタ本体を固定し、その上側には、少なくとも１個の固定ブロックを備え、これにより、該コネクタ本体の前縁は、該遮蔽殻体と揃い、しかもその接触面の高さは、該固定片の上縁とおおよそ揃う。
【考案の効果】
【０００８】
本考案のUSBコネクタの構造アセンブリは、異なる伝送速度のUSB2.0コネクタとUSB3.0コネクタを備え、これにより異なる伝送速度に対するニーズに応えることができ、複数の第二端子中の内の両辺の最も外側の第二端子の端部に近い位置は、それぞれ外側へと溶接片を延伸し、しかも基板は溶接片位置に対応し、さらに溶接パッドを備え、これにより溶接片を溶接するため、コネクタ本体の一端の浮き上がりを防止し、また固定部品を備え、固定部品はコネクタ本体及び基板を、遮蔽殻体中に堅固で安定的に固定することができ、従来のUSBコネクタに比べ、確実に進歩性を有する。
【図面の簡単な説明】
【０００９】
【図１】本考案実施例USBコネクタの構造アセンブリの分解模式図である。
【図２】本考案実施例の固定部品の正視模式図である。
【図３】本考案実施例の固定部品の後視模式図である。
【図４】本考案実施例のコネクタ本体の正視模式図である。
【図５】本考案実施例のコネクタ本体の後視模式図である。
【図６】本考案実施例の基板とコネクタ本体の組合せ模式図である。
【図７】本考案実施例の基板、コネクタ本体と基板の組合せ模式図である。
【図８】本考案実施例のUSBコネクタの構造アセンブリの組合せ模式図である。
【考案を実施するための形態】
【００１０】
以下に図面を参照しながら本考案を実施するための最良の形態について詳細に説明する。
【００１１】
本考案実施例USBコネクタの構造アセンブリの分解模式図である図１、本考案実施例の固定部品の正視模式図である図２、本考案実施例の固定部品の後視模式図である図３、本考案実施例のコネクタ本体の正視模式図である図４、本考案実施例のコネクタ本体の後視模式図である図５、本考案実施例の基板とコネクタ本体の組合せ模式図である図６、本考案実施例の基板、コネクタ本体と基板の組合せ模式図である図７、本考案実施例のUSBコネクタの構造アセンブリの組合せ模式図である図８に示すように、本考案実施例のUSBコネクタの構造アセンブリは、固定部品１００、コネクタ本体２００、基板３００、遮蔽殻体４００を組み合わせて構成する。
【００１２】
固定部品１００は、光透過プラスチック部品であるが、これに限定しない。固定部品１００の一端(後端などであるが、これに限定しない)は、下方へと延伸し、ガード板１１０を備える。固定部品１００の一端(前端などであるが、これに限定しない)は、少なくとも１個の第一凹槽１２０を備え、下方には、少なくとも１個の係合ブロック１３０を備える。本実施例では、固定部品１００の下方両側に、それぞれ１個の係合ブロック１３０を備える形式を例として説明するが、これに限定しない。
【００１３】
固定部品１００上にはさらに、固定孔１４０を備える。固定孔１４０は、好ましくはガード板１１０の内側に位置する。
【００１４】
コネクタ本体２００は、固定部品１００の下方に位置し、その上には、複数の第一端子２１０と複数の第二端子２３０を備える。複数の第一端子２１０及び複数の第二端子２３０は、それぞれ溶接部２１１、２３１を備える。反対端は、下方へと湾曲し、接触部２１２、２３２を形成する。しかも、コネクタ本体２００の前端には、導入角２４０を備える。導入角２４０は、オスコネクタ(図示なし)を、コネクタ本体２００中に導引することができる。しかも、導入角２４０の少なくとも片側には、第二凹槽２５０を備える。コネクタ本体２００後端の少なくとも片側には、係合ブロック１３０位置に対応し、係合槽２６０を備える。これにより、固定部品１００と結合することができる。本実施例では、コネクタ本体２００下方両側にそれぞれ係合槽２６０を備える例により説明するが、これに限定しない。
【００１５】
複数の第一端子２１０中の各第一端子２１０の一端には、溶接部２１１を備え、基板３００上にそれぞれ固定する。しかも、第一端子２１０の反対端は、下方へと湾曲し、接触部２１２を形成する。複数の第一端子２１０の個数は５個であるが、例としてあげるもので、これに限定しない。
【００１６】
複数の第二端子２３０中の各台に端子２３０は、それぞれ第一端子２１０と交差して配置する。しかも、その一端には、溶接部２３１を備え、基板３００上に固定する。しかも、第二端子２３０の反対端は、下方へと湾曲し、接触部２３２を形成する。複数の第二端子２３０の個数は４個であるが、例としてあげるもので、これに限定しない。この他、一つ目の第二端子２３０の反対端上には、フランジ２３３を備え、これにより第二端子２３０の接触は、より確実となる。
【００１７】
この他、複数の第二端子２３０中の内の両辺の最も外側の第二端子の端部に近い位置は、それぞれ外側へと溶接片２３４を延伸する。
【００１８】
基板３００は、COB基板(Chip-On-Board)、或いはプリント回路基板などであるが、これに限定しない。本実施例中では、COB基板を例として説明するが、これに限定しない。  COB基板技術は、薄く、回路が密集し、面積が小さいという長所を備えるため、LCDドライバチップ、或いはNAND型フラッシュメモリの封入に広く利用されている。
【００１９】
基板３００上には、複数の第一接触パッド３０１、複数の第二接触パッド３０２を備え、それぞれ基板３００に露出する。しかも、複数の第一接触パッド３０１と複数の第二接触パッド３０２は、交差配置を呈するが、これに限定するものではない。複数の第一接触パッド３０１と複数の第二接触パッド３０２には、複数の第一端子２１０の溶接部２１１と複数の第二端子２３０の溶接部２３１をそれぞれ溶接する。複数の第一接触パッド３０１の個数は、５個などであるが、これに限定しない。それは、それぞれStdA_SSRX-、StdA_SSRX+、GND_DRAIN、StdA_SST-、StdA_SST+の５個のUSB3.0規格の信号を伝送することができる。複数の第二接触パッド３０２の個数は、４個などであるが、これに限定しない。それは、それぞれVBUS、D-、D+、GNDの４個のUSB2.0規格の信号を伝送することができる。よって、本考案のUSBコネクタの構造アセンブリは、異なる伝送速度のUSB2.0コネクタとUSB3.0コネクタの規格に符合し、これにより異なる伝送速度に対するニーズに応えることができる。
【００２０】
また、基板３００は、溶接片２３４位置に対応し、さらに溶接パッド３０３を備え、これにより溶接片２３４を溶接する。こうして、コネクタ本体２００の一端は、溶接部２１１、２３１により、第一接触パッド３０１及び第二接触パッド３０２上にそれぞれ溶接され、反対端は、溶接片２３４により、溶接パッド３０３上に溶接される。これにより、コネクタ本体２００の前後端は共に、接着力を有し、こうして浮き上がり(跳ね上がり)の状況は発生しない。
【００２１】
この他、基板３００上にはさらに、USBコントローラー３１０、インジケーター３２０、少なくとも１個のフラッシュメモリ３３０を備える。USBコントローラー３１０及び少なくとも１個のフラッシュメモリ３３０は、複数の第一接触パッド３０１と複数の第二接触パッド３０２にそれぞれ接続する。インジケーター３２０は、USBコントローラー３１０に接続し、作動状態を表示する。インジケーターは、発光ダイオードなどであるが、これに限定せず、しかも好ましくは、固定孔１４０中に設置する。この他、USBコントローラー３１０及びフラッシュメモリ３３０は、COB基板封入技術により、基板３００上に封入するが、これは従来の技術であり、本考案の重点ではないため、ここでは記述しない。
【００２２】
遮蔽殻体４００は、中空で、固定部品１００、コネクタ本体２００、基板３００を収容設置する。その一端は、第二凹槽２５０位置に対応し、固定片４１０を備える。固定片４１０は内側へと湾曲後、第二凹槽２５０に止められる。これにより、コネクタ本体２００の前縁は、遮蔽殻体４００と揃い、しかもその接触面の高さは、固定片４１０の上縁とおおよそ揃う。遮蔽殻体４００は金属殻体などであるが、これに限定しない。しかも、遮蔽殻体４００上の第一凹槽１２０に対応する位置には、さらに少なくとも１個の固定ブロック４２０を備え、第一凹槽１２０と結合し、これにより、固定部品１００を、遮蔽殻体４００中に固定する。本実施例では、固定ブロック４２０と第一凹槽１２０の個数は、共に３個を例として説明するが、これに限定しない。
【００２３】
図６〜図８に示すように、組合せ時には、先ず、複数の第一端子２１０と複数の第二端子２３０を、それぞれ交差方式で配列させた後、金型(図示なし)中にセットする。次に、一体成型の方式で、コネクタ本体２００を射出成型し、固定部品１００をコネクタ本体２００上に固定する。次に、表面粘着技術により、溶接部２１１、２３１を、第一接触パッド３０１と第二接触パッド３０２上に、それぞれ溶接し、溶接片２３４を、溶接パッド３０３上に溶接する。これにより、コネクタ本体２００の前後端は共に、接着力を有する。続いて、組合せ後の固定部品１００、コネクタ本体２００、基板３００を、遮蔽殻体４００中に入れる。これにより、固定ブロック４２０は、第一凹槽１２０中にそれぞれ係合され、同時に、第二凹槽２５０は、第二固定片４１０位置に止められる。こうして、コネクタ本体２００前縁と、遮蔽殻体４００とは揃い、しかもその接触面は、固定片４１０の上縁と高さが揃い、これにより、本考案のUSBコネクタの構造アセンブリを形成する。こうして、本考案のUSBコネクタの構造アセンブリ上の５個の第一端子２１０は、USB3.0コネクタを構成し、４個の第二端子２３０は、USB2.0コネクタを構成し、それぞれUSB2.0プラグ、或いはUSB3.0プラグを挿入して接続することができる。この他、複数の第二端子２３０の内の両辺の最も外側の第二端子の端部に近い位置は、それぞれ外側へと溶接片２３４を延伸する。しかも、基板３００は、溶接片２３４位置に対応し、さらに溶接パッド３０３を備え、これにより溶接片２３４は溶接され、コネクタ本体２００の一端の浮き上がりを防止することができる。よって、本考案のUSBコネクタの構造アセンブリは、従来のUSBコネクタに比べ、進歩性を備える。
【００２４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２５】
１００  固定部品
１１０  ガード板
１２０  第一凹槽
１３０  係合ブロック
１４０  固定孔
２００  コネクタ本体
２１０  第一端子
２１１  溶接部
２１２  接触部
２３０  第二端子
２３１  溶接部
２３２  接触部
２３３  フランジ
２３４  溶接片
２４０  導入角
２５０  第二凹槽
２６０  係合槽
３００  基板
３０１  第一接触パッド
３０２  第二接触パッド
３０３  溶接パッド
３１０  USBコントローラー
３２０  インジケーター
３３０  フラッシュメモリ
４００  遮蔽殻体
４１０  固定片
４２０  固定ブロック
【図１】
0003186058.tif 000003
【図２】
0003186058.tif 000004
【図３】
0003186058.tif 000005
【図４】
0003186058.tif 000006
【図５】
0003186058.tif 000007
【図６】
0003186058.tif 000008
【図７】
0003186058.tif 000009
【図８】
0003186058.tif 000010
【手続補正書】
【提出日】平成25年7月16日(2013.7.16)
【手続補正１】
【補正対象書類名】実用新案登録請求の範囲
【補正対象項目名】全文
【補正方法】変更
【補正の内容】
【実用新案登録請求の範囲】
【請求項１】
USBコネクタの構造アセンブリは、固定部品、コネクタ本体、基板、遮蔽殻体を備え、  前記固定部品の一端は、少なくとも１個の第一凹槽を備え、下方には、少なくとも１個の係合ブロックを備え、
前記コネクタ本体は、前記固定部品の下方に位置し、その上には、複数の第一端子と複数の第二端子を備え、前記複数の第一端子及び前記複数の第二端子は、それぞれ接触部を備え、しかも前記コネクタ本体の前端には、導入角を備え、前記導入角の少なくとも片側には、第二凹槽を備え、前記コネクタ本体後端の少なくとも片側には、係合ブロック位置に対応し、係合槽を備え、これにより前記固定部品と結合し、
前記基板は、前記コネクタ本体の下方に位置し、その一端は、ガード板に止められ、その上には、複数の第一接触パッド、複数の第二接触パッドを備え、これに前記複数の第一端子と前記複数の第二端子の接触部をそれぞれ溶接し、
前記遮蔽殻体は、中空で、前記固定部品、前記コネクタ本体、前記基板を収容設置し、その一端は、前記第二凹槽位置に対応し、固定片を備え、前記固定片は内側へと湾曲後、第二凹槽に止められ、これにより前記コネクタ本体の前縁は、前記遮蔽殻体と揃い、しかもその接触面の高さは、前記固定片の上縁とおおよそ揃うことを特徴とするUSBコネクタの構造アセンブリ。
【請求項２】
前記基板は、COB基板(Chip-On-Board)、或いはプリント回路基板で、
前記複数の第一接触パッドと前記複数の第二接触パッドは、交差配置を呈し、前記導入角はおよそ30°であることを特徴とする請求項１に記載のUSBコネクタの構造アセンブリ。
【請求項３】
前記複数の第一接触パッド及び前記複数の第一端子の個数は５個で、結合後、USB3.0コネクタを構成し、
前記複数の第二接触パッド及び前記複数の第二端子の個数は４個で、USB2.0コネクタを構成することを特徴とする請求項１に記載のUSBコネクタの構造アセンブリ。
【請求項４】
前記基板上にはさらに、USBコントローラー、インジケーター、少なくとも１個のフラッシュメモリを備え、
前記USBコントローラー及び前記少なくとも１個のフラッシュメモリは、前記複数の第一接触パッドと前記複数の第二接触パッドにそれぞれ接続し、
前記インジケーターは、前記USBコントローラーに接続することを特徴とする請求項１に記載のUSBコネクタの構造アセンブリ。
【請求項５】
前記遮蔽殻体上の第一凹槽に対応する位置には、さらに少なくとも１個の固定ブロックを備え、前記第一凹槽と結合し、これにより前記固定部品を、前記遮蔽殻体中に固定し、前記固定ブロックと前記第一凹槽の個数は、共に３個であることを特徴とする請求項１に記載のUSBコネクタの構造アセンブリ。
【請求項６】
前記固定部品の反対端は、下方へと延伸し、ガード板を備え、しかも前記ガード板の内側には、固定孔を備え、これにより前記インジケーターを固定することを特徴とする請求項４に記載のUSBコネクタの構造アセンブリ。
【請求項７】
前記複数の第二端子中の内の両辺の最も外側の第二端子の端部に近い位置は、それぞれ外側へと溶接片を延伸し、しかも前記基板は、前記溶接片位置に対応し、さらに溶接パッドを備え、これにより前記溶接片を溶接し、
この他、前記各第二端子の前記接触部に近い位置にはさらに、フランジを備え、これにより前記第二端子の接触は、より確実となることを特徴とする請求項１に記載のUSBコネクタの構造アセンブリ。
【請求項８】
前記第二凹槽と前記固定片の個数は共に２個であることを特徴とする請求項１に記載のUSBコネクタの構造アセンブリ。
【請求項９】
前記固定部品は、光透過プラスチック部品であることを特徴とする請求項１に記載のUSBコネクタの構造アセンブリ。